(57)【特許請求の範囲】
【請求項１】
制御機器を管理制御する上位コントローラと、当該上位コントローラに所定のプロトコルを適用した通信回線を介して接続される監視装置とを備える監視システムに、当該通信回線を介して接続されて、前記上位コントローラが管理制御する前記制御機器のオブジェクト情報と前記監視装置が管理する監視ポイントとの関連付けを行うエンジニアリング装置であって、
前記制御機器のオブジェクト情報に関連付ける前記監視装置上の監視ポイントのポイントタイプを定義した関連付け情報を記憶する関連付け情報記憶部と、
前記制御機器のオブジェクト情報の属性を示すプロパティ情報を含むオブジェクトファイルを取得するオブジェクトファイル取得部と、
前記関連付け情報記憶部に記憶されている関連付け情報に基づいて、前記オブジェクトファイル取得部の取得したオブジェクト情報に関連付ける監視ポイントのポイントタイプを決定するポイントタイプ変換部と、
前記制御機器のオブジェクト情報をオブジェクトファイルとして予め記憶しているオブジェクトファイル記憶部と、
前記オブジェクトファイル記憶部に記憶されているオブジェクト情報に関連付けられた監視ポイントのポイントタイプを記憶しているポイント情報記憶部と、
前記オブジェクトファイル取得部が前記制御機器のオブジェクト情報を新しく取得した場合、当該取得したオブジェクト情報と前記オブジェクトファイル記憶部に記憶されているオブジェクト情報とを比較して、ポイントタイプの変換対象となるオブジェクト情報を当該取得したオブジェクト情報から抽出する変換対象抽出部とを備え、
前記ポイントタイプ変換部は、前記変換対象抽出部の抽出したオブジェクト情報に関連付ける監視ポイントのポイントタイプを決定した場合、前記ポイント情報記憶部に記憶されている当該監視ポイントのポイントタイプを更新し、
オブジェクト情報には、状態であることを表す数字、警報であることを表す数字を示す通告タイプが含まれ、
前記ポイントタイプ変換部は、
前記変換対象抽出部によりオブジェクト情報の通告タイプが異なる変換対象が抽出された場合、前記オブジェクトファイル取得部により取得されたオブジェクト情報の通告タイプに対応付けられているポイントタイプを前記関連付け情報記憶部から読み出し、前記ポイント情報記憶部に記憶されているオブジェクト情報のポイントタイプを当該読み出したポイントタイプに更新することを特徴とするエンジニアリング装置。
【請求項２】
オブジェクト情報には、一つの監視ポイントに集約して関連付けられるオブジェクトの存在を示す関連オブジェクトが含まれ、
前記ポイントタイプ変換部は、
前記変換対象抽出部によりオブジェクト情報の関連オブジェクトが異なる変換対象が抽出された場合、前記オブジェクトファイル取得部により取得されたオブジェクト情報の関連オブジェクトに対応付けられているポイントタイプを前記関連付け情報記憶部から読み出し、前記ポイント情報記憶部に記憶されているオブジェクト情報のポイントタイプを当該読み出したポイントタイプに更新することを特徴とする請求項１記載のエンジニアリング装置。
【請求項３】
前記変換対象抽出部は、前記オブジェクトファイル記憶部が記憶しているオブジェクト情報が前記オブジェクトファイル取得部の取得したオブジェクト情報中にない場合、前記オブジェクトファイル記憶部が記憶している当該オブジェクト情報に関連付けられた監視ポイントの情報を前記ポイント情報記憶部から削除することを特徴とする請求項１記載のエンジニアリング装置。
【発明の詳細な説明】
【技術分野】
【０００１】
この発明は、制御機器を管理制御する上位コントローラと、この上位コントローラに所定のプロトコルを適用した通信回線を介して接続される監視装置とを備える監視システムに、この通信回線を介して接続されるエンジニアリング装置に関するものである。
【背景技術】
【０００２】
建築建物には熱源機器、冷却塔、ポンプ、空調機などの空調設備が設置され、これらの空調設備にはさらに複数のフィールド機器が備えられている。例えば、空調機には、送風機のインバータ、冷温水弁、ダンパ、フィルタ、給気温度センサなどのフィールド機器が備えられ、これらのフィールド機器に対する指示（発停、出力など）は監視装置からコントローラを介して出力される。またフィールド機器からの情報（運転状態、警報状態、現在出力など）はコントローラを介して監視装置に入力される。これらの情報は監視装置ではソフトウェア上の管理単位である監視ポイントとして管理されている。例えば、監視ポイントとして、空調機の起動／停止は状態ポイント（ＳＯＰ）、空調機のフィルタ詰り状態は警報ポイント（ＡＯＰ）、空調機の給気ファンの運転／停止かつ異常状態は状態警報ポイント（ＳＡＰ）、空調機の冷温水弁の開度入力はアナログ入力ポイント（ＡＩ）などが割り当てられている（例えば、特許文献１参照）。
【０００３】
建物内の複数のフィールド制御機器の監視・制御を行う監視システムとして、ＢＡＣｎｅｔ（Ｂｕｉｌｄｉｎｇ  Ａｕｔｏｍａｔｉｏｎ  ａｎｄ  Ｃｏｎｔｒｏｌ  ｎｅｔｗｏｋｉｎｇ  ｐｒｏｔｏｃｏｌ）などのオープンネットワークを用いて、空調設備、照明設備、電気設備および防災設備などの異なるメーカのシステムを接続し、監視・制御を行うマルチベンダ対応システムが普及している。
【０００４】
このＢＡＣｎｅｔに対応した監視システムを構築するに当たり、国内では、事前に各ベンダからＢＡＣｎｅｔ仕様に応じた制御機器のオブジェクト情報をカンマ区切りにしたＣＳＶ形式のファイルとして入手することが定着している。そして、エンジニアリング装置が入手したＣＳＶファイルを基に、制御機器のオブジェクト情報と中央の監視装置で管理する監視ポイントとの関連付けを行い、システムの仕様に整合させている。この関連付けは、通常、監視システム構築時、制御機器の追加時または変更時などに行う。
【０００５】
例えば、特許文献２に係るエンジニアリング装置は、ＢＡＣｎｅｔに適合するオブジェクト仕様をＣＳＶ形式で記述したＣＳＶファイルを取り込み、このオブジェクト仕様を予め用意されたオブジェクトパラメータを参照することにより、オブジェクト毎のインスタンスを生成し、インスタンスからオブジェクト実装情報を生成する。
【先行技術文献】
【特許文献】
【０００６】
【特許文献１】特開２００７−１９９７９８号公報
【特許文献２】特開２００２−３５８１１６号公報
【発明の概要】
【発明が解決しようとする課題】
【０００７】
従来のエンジニアリング装置は、適正なＣＳＶファイル（オブジェクト仕様）が準備されていることが前提となっている。
しかしながら、監視システムの運用開始後に制御機器のオブジェクト情報が変更されると、監視装置上の監視ポイントとの関連付けがリセットされてしまい、システムの仕様に整合しなくなる場合があった。その場合には正常な監視制御を行えない。そのため、従来は、変更されたオブジェクト情報の関連付けを手動により変更して整合性の取れた状態にする必要があり、効率が悪いという課題があった。
【０００８】
この発明は、上記のような課題を解決するためになされたもので、制御機器のオブジェクト情報が変更された場合でも、このオブジェクトと監視装置が管理する監視ポイントとの関連付けの整合性を維持することのできるエンジニアリング装置を提供することを目的とする。
【課題を解決するための手段】
【０００９】
この発明に係るエンジニアリング装置は、制御機器のオブジェクト情報に関連付ける監視装置上の監視ポイントのポイントタイプを定義した関連付け情報を記憶する関連付け情報記憶部と、制御機器のオブジェクト情報の属性を示すプロパティ情報を含むオブジェクトファイルを取得するオブジェクトファイル取得部と、関連付け情報記憶部に記憶されている関連付け情報に基づいて、オブジェクトファイル取得部の取得したオブジェクト情報に関連付ける監視ポイントのポイントタイプを決定するポイントタイプ変換部と、制御機器のオブジェクト情報をオブジェクトファイルとして予め記憶しているオブジェクトファイル記憶部と、オブジェクトファイル記憶部に記憶されているオブジェクト情報に関連付けられた監視ポイントのポイントタイプを記憶しているポイント情報記憶部と、オブジェクトファイル取得部が制御機器のオブジェクト情報を新しく取得した場合、当該取得したオブジェクト情報とオブジェクトファイル記憶部に記憶されているオブジェクト情報とを比較して、ポイントタイプの変換対象となるオブジェクト情報を当該取得したオブジェクト情報から抽出する変換対象抽出部とを備え、ポイントタイプ変換部は、変換対象抽出部の抽出したオブジェクト情報に関連付ける監視ポイントのポイントタイプを決定した場合、ポイント情報記憶部に記憶されている当該監視ポイントのポイントタイプを更新し、オブジェクト情報には、状態であることを表す数字、警報であることを表す数字を示す通告タイプが含まれ、ポイントタイプ変換部は、変換対象抽出部によりオブジェクト情報の通告タイプが異なる変換対象が抽出された場合、オブジェクトファイル取得部により取得されたオブジェクト情報の通告タイプに対応付けられているポイントタイプを関連付け情報記憶部から読み出し、ポイント情報記憶部に記憶されているオブジェクト情報のポイントタイプを当該読み出したポイントタイプに更新するものである。
【発明の効果】
【００１０】
この発明によれば、関連付け情報に基づいて、オブジェクト情報に関連付ける監視ポイントのポイントタイプを決定するようにしたので、制御機器のオブジェクト情報が変更された場合でも、このオブジェクトと監視ポイントとの関連付けの整合性を維持することのできるエンジニアリング装置を提供することができる。
【図面の簡単な説明】
【００１１】
【図１】この発明の実施の形態１に係るエンジニアリング装置を適用する監視システムの全体構成を示す図である。
【図２】実施の形態１に係るエンジニアリング装置の構成を示すブロック図である。
【図３】実施の形態１のオブジェクトファイルについて、ＢＡＣｎｅｔのプロトコルに対応したＣＳＶフォーマットの一例を示す図である。
【図４】実施の形態１に係るエンジニアリング装置の関連付け情報記憶部１４が有する関連付け情報の一例を示す図である。
【図５】実施の形態１に係るエンジニアリング装置の動作を示すフローチャートである。
【図６】実施の形態１に係るエンジニアリング装置のポイントタイプ変換部による変換処理の一例を説明する図である。
【図７】実施の形態１に係るエンジニアリング装置のポイントタイプ変換部による変換処理の別の例を説明する図である。
【発明を実施するための形態】
【００１２】
以下、この発明の実施の形態について図面を参照しながら詳細に説明する。
実施の形態１．
図１はこの発明の実施の形態１に係る監視システムの構成を示す図であり、通信ネットワークとしてＢＡＣｎｅｔを用いた場合を示している。
監視システムは、図１に示すように、エンジニアリング装置１、監視装置２、表示装置３、複数の上位コントローラ４、複数の下位コントローラ５、および複数のＢＡＣｎｅｔルータ６（図１では一つを例示する）などから構成されている。
【００１３】
エンジニアリング装置１は、ＢＡＣｎｅｔに対応した監視システムを構築するものである。このエンジニアリング装置１は、システムを構築する際に、ＢＡＣｎｅｔの規格に合わせて、監視装置２で監視・制御を行う上位コントローラ４、下位コントローラ５および不図示のフィールド制御装置（制御機器）のオブジェクトの属性情報（詳細は後述する）を記述したＣＳＶ形式のオブジェクトファイルに基づいてシステムの構成情報、およびＩ／Ｏ情報などの管理情報を記録したＪＯＢファイルを作成する。また、エンジニアリング装置１は、作成したＪＯＢファイルに基づいて、各上位コントローラ４を動作させるための動作ファイルを作成して、対応する上位コントローラ４にダウンロードする。
【００１４】
監視装置２は、ＢＡＣｎｅｔを介して接続される複数の上位コントローラ４を監視・制御するものである。この監視装置２による監視・制御情報は表示装置３に表示される。
【００１５】
上位コントローラ４は、監視装置２による制御に従い、下位ネットワークを介して接続される複数の下位コントローラ５を監視・制御するものである。この上位コントローラ４は、エンジニアリング装置１からダウンロードした動作ファイルに基づいて動作する。
なお、上位コントローラ４は、ＢＡＣｎｅｔルータ６を介してＢＡＣｎｅｔに接続される構成であってもよい。
【００１６】
下位コントローラ５は、上位コントローラ４による制御に従い、下位ネットワークを介して接続される複数の不図示のフィールド制御装置を制御するものである。フィールド制御装置は各種センサ、アクチュエータなどを具備し、下位コントローラ５がこれらをオブジェクトとして扱い、制御する。例えばあるオブジェクトが温度センサの温度データを取得するために使用され、下位コントローラ５が取得した温度データは上位コントローラ４へ通知される。通知された情報を基にした動作指示は、上位コントローラ４から下位コントローラ５へ通知され、下位コントローラ５がオブジェクト制御によりフィールド制御装置を動作させる（例えば空調機の発停制御）。
【００１７】
次に、エンジニアリング装置１のオブジェクトの関連付け変更に関する構成について説明する。図２はこの発明の実施の形態１に係るエンジニアリング装置１の構成を示すブロック図である。
エンジニアリング装置１は、図２に示すように、オブジェクトファイル記憶部１１、オブジェクトファイル取得部１２、入出力部１３、関連付け情報記憶部１４、変換対象抽出部１５、ポイントタイプ変換部１６およびポイント情報記憶部１７から構成されている。
【００１８】
オブジェクトファイル記憶部１１は、ＢＡＣｎｅｔのプロトコル（ＩＥＩＥＪ−Ｇ−０００６：２００６、ＩＦＩＦＪ−Ｐ−０００３：２０００など）に合わせた所定のファイル仕様で記述されたオブジェクトファイルを記憶している。オブジェクトファイル記憶部１１の記憶するオブジェクトファイルは、監視システム構築時に作成されたものである。
【００１９】
オブジェクトファイル取得部１２は、監視システム運用中にフィールド制御装置に変更があった場合に、外部より、その変更を含むオブジェクトファイルを取得する。なお、オブジェクトファイルの取得方法は、例えば変更のあったフィールド制御装置のベンダからネットワークを介して受信するなど、どのような方法でもよい。
【００２０】
ファイル仕様選択部１１は、作成するオブジェクトファイルのフォーマット（仕様）を選択する。
図３に、ＢＡＣｎｅｔのプロトコルの一つであるＩＥＩＥＪ−Ｇ−０００６：２００６仕様のＣＳＶフォーマットの一例を示す。図３に示すように、ＣＳＶファイルは、一つのオブジェクトについて、カラム１〜３８の順に、プロパティ（オブジェクトの属性を表す情報）の項目に対応する情報が記述される。
例えば、ファイルフォーマットが「７５，７７，７９，７２，７５−１」の場合、空調機の状態監視のために使用されるオブジェクトは「１２５８２９１０，空調機，３，１，１２５８２９１１」のように記述される。このオブジェクト情報は、オブジェクトＩＤ（プロパティＩＤ７５）が「１２５８２９１０」であり、オブジェクト名（７７）は「空調機」、オブジェクトタイプ（７９）は「３（Ｂｉｎａｒｙ  Ｉｎｐｕｔ（以下、ＢＩ）であることを表す数字）」、通告タイプ（７２）は「１（状態であることを表す数字）」、関連オブジェクト１（７５−１）は「１２５８２９１１」であることを示す。
なお、オブジェクトとは、空調機（送風ファン）などのフィールド制御機器のデータを抽象化し、プロパティの集合として定義したものであり、ＡＮＳＩ／ＡＳＨＲＡＥ  Ｓｔａｎｄａｒｄ  １３５−２００４に規定されている。本実施の形態中のオブジェクト情報は、このオブジェクトを意味する。
【００２１】
図３の例はＩＥＩＥＪ−Ｇ−０００６：２００６仕様のファイルフォーマットであるが、この他にも、ＩＥＩＥＪ−Ｐ−０００３：２０００仕様、独自仕様などのファイルフォーマットでもよい。また、ＢＡＣｎｅｔの場合はＣＳＶ形式のフォーマットであるが、これに限定されるものではなく、ＢＡＣｎｅｔ以外のネットワークの場合にはそれに対応したフォーマットにすればよい。
【００２２】
入出力部１３は、オブジェクト情報と監視ポイントとの関連付けの設定画面を表示してユーザの入力を受け付け、関連付け情報記憶部１４に関連付け情報として記憶させる。なお、入出力部１３として、キーボード（およびマウスなど）とディスプレイのように別体の入力装置と出力（表示）装置を用いてもよいし、タッチパネルのように入力と出力（表示）が一体となった装置を用いてもよい。
【００２３】
関連付け情報記憶部１４は、入出力部１３から入力される関連付け情報を記憶する。図４に、関連付け情報の一例を示す。図４では、監視装置２が監視する監視ポイントのポイントタイプと、各ポイントタイプに関連付けられるオブジェクト情報との対応関係を表で示す。例えばオブジェクトタイプが３（即ち、ＢＩ）、かつ、通告タイプが１（即ち、状態）のオブジェクトは、状態ポイント（ＳＯＰ）に関連付けられる。また例えばオブジェクトタイプが５（即ち、ＢＶ；Ｂｉｎａｒｙ  Ｖａｌｕｅ）、かつ、通告タイプが１のオブジェクトも、状態ポイントに関連付けられる。他方、通告タイプが０（即ち、警報）のＢＩおよびＢＶオブジェクトは、警報ポイント（ＡＯＰ）に関連付けられる。
また、関連オブジェクト１，２によって複数のオブジェクトが紐付けられている場合、複数オブジェクトを一つの監視ポイントに集約して関連付ける。例えば状態タイプのＢＩオブジェクトと警報タイプのＢＩオブジェクトが紐付けられていれば、これらのオブジェクトが一つの警報付状態ポイント（ＳＡＰ）に関連付けられる。
【００２４】
変換対象抽出部１５は、オブジェクトファイル記憶部１１より既存のオブジェクトファイルを取得し、オブジェクトファイル取得部１２が取得したオブジェクトファイルと比較して、変更のあったオブジェクト情報を抽出する。抽出したオブジェクト情報はポイントタイプ変換部１６に出力する。
変換対象の抽出処理としては、例えば両オブジェクトファイルに含まれる各オブジェクト情報のオブジェクトＩＤなどを比較し、オブジェクトＩＤが追加されていたり、削除されていたり、オブジェクトＩＤ以外のプロパティ情報が変更されていたりしたオブジェクトＩＤのオブジェクト情報を抽出する。
【００２５】
ポイントタイプ変換部１６は、関連付け情報記憶部１４に記憶されている関連付け情報を参照し、変換対象抽出部１５から入力されるオブジェクト情報のポイントタイプを変換する。変換処理の詳細は後述する。
【００２６】
ポイント情報記憶部１７は、監視システム構築時にエンジニアリング装置１がオブジェクトファイルに基づいて決定した、監視ポイントのポイントタイプをポイント情報として記憶する。このオブジェクトファイルはオブジェクトファイル記憶部１１に記憶されているオブジェクトファイルと同一であり、また、オブジェクト情報と監視ポイントとを関連付けたポイント情報はＪＯＢファイルの一部を構成する。
また、監視システムのフィールド制御装置に変更があった場合、ポイント情報記憶部１７の記憶している既存のポイント情報は、ポイントタイプ変換部１６から入力される新たなポイント情報に更新されることになる。
また、変換対象抽出部１５において、既存のオブジェクトファイルには存在するが、取得したオブジェクトファイルには存在しないと判断されたオブジェクトのポイント情報は、監視システムのフィールド制御装置に変更があった場合にオブジェクトが削除されたものとして、ポイント情報記憶部１７より削除されることになる。
【００２７】
以下では、監視システム運用中にフィールド制御装置に変更があった場合に、その変更を監視ポイントに反映させる動作を説明する。図５は、この発明の実施の形態１に係るエンジニアリング装置１の動作を示すフローチャートである。
ここでは、オブジェクトファイル記憶部１１にシステム構築時に取得した既存オブジェクトファイルが記憶され、かつ、ポイント情報記憶部１７にこの既存オブジェクトファイルから作成されたポイント情報が記憶されているものと仮定する。また、関連付け情報記憶部１４には、この監視システムの仕様に合わせて作成された関連付け情報が記憶されているものと仮定する。
【００２８】
エンジニアリング装置１において、フィールド制御装置の変更を記述したオブジェクトファイルを、オブジェクトファイル取得部１２が取得すると（ステップＳＴ１“ＹＥＳ”）、続いて変換対象抽出部１５が取得されたオブジェクトファイルとオブジェクトファイル記憶部１１が記憶している既存オブジェクトファイルとを比較して、変更のあったオブジェクト情報を抽出し、変換対象としてポイントタイプ変換部１６に出力する（ステップＳＴ２）。
【００２９】
ポイントタイプ変換部１６は、変換対象抽出部１５から入力された変換対象のオブジェクト情報のオブジェクトＩＤが、取得されたオブジェクトファイルによって新たに追加されたオブジェクトＩＤである場合（ステップＳＴ３“オブジェクトＩＤ追加”）、関連付け情報記憶部１４に記憶されている関連付け情報に基づいてこのオブジェクト情報のポイントタイプを決定し、ポイント情報記憶部１７に記憶させる（ステップＳＴ４）。
【００３０】
また、ポイントタイプ変換部１６は、変換対象のオブジェクト情報のプロパティ情報が変更されていた場合（ステップＳＴ３“プロパティ情報の変更”）、ポイント情報記憶部１７に既に記憶されているこのオブジェクト情報のポイントタイプを、関連付け情報に基づいて変換する（ステップＳＴ４）。
【００３１】
ここで、プロパティ情報に変更があった場合の、ポイントタイプ変換処理の具体例を説明する。
図６に示す変換処理は、通告タイプのプロパティ値が変更された場合の例である。既存オブジェクトファイルのオブジェクト情報と取得したオブジェクトファイルのオブジェクト情報とを比較すると、プロパティ情報のうちのオブジェクトＩＤ、オブジェクト名、オブジェクトタイプは同じであるが、通告タイプが異なる。よって、ポイントタイプ変換部１６は、図４に示す関連付け情報に基づいて、オブジェクトＩＤ「１２５８２９１０」のオブジェクト情報のポイントタイプを、状態ポイント（ＳＯＰ）から警報ポイント（ＡＯＰ）に変換する。そして、ポイント情報記憶部１７に記憶されているこのオブジェクト情報のポイント情報を更新する。
【００３２】
図７に示す変換処理は、関連オブジェクト１のプロパティ値が変更された場合の例である。オブジェクトＩＤ「１２５８２９１０」および「１２５８２９１１」のオブジェクト情報は、プロパティ情報のうちの関連オブジェクト１が異なる。よって、ポイントタイプ変換部１６は、図４に示す関連付け情報に基づいて、オブジェクトＩＤ「１２５８２９１０」および「１２５８２９１１」を紐付ける監視ポイントを一つに集約すると共に、この監視ポイントのポイントタイプを警報付状態ポイント（ＳＡＰ）に変換する。そして、ポイント情報記憶部１７に記憶されているこれらのオブジェクト情報のポイント情報を更新する。
【００３３】
他方、変換対象のオブジェクト情報のオブジェクトＩＤが、既存オブジェクトファイルから削除されたオブジェクトＩＤである場合（ステップＳＴ３“オブジェクトＩＤ削除”）、変換対象抽出部１５が、ポイント情報記憶部１７に記憶されているこのオブジェクト情報のポイント情報を削除する（ステップＳＴ５）。
【００３４】
これにより、監視システム運用中に変更のあったフィールド制御装置のオブジェクトと監視装置２の監視ポイントとの整合性が維持される。
【００３５】
また、図５では図示を省略するが、変換対象抽出部１５は、変換対象のオブジェクト情報を抽出した後、オブジェクトファイル記憶部１１に記憶されているシステム構築時のオブジェクトファイルをオブジェクトファイル取得部１２が取得したオブジェクトファイルに更新して、オブジェクトファイルを最新の状態に保つ。
【００３６】
以上より、実施の形態１に係るエンジニアリング装置１を、フィールド制御装置のオブジェクト情報に関連付ける監視装置２上の監視ポイントのポイントタイプを定義した関連付け情報を記憶する関連付け情報記憶部１４と、フィールド制御装置のオブジェクト情報の属性を示すプロパティ情報を含むオブジェクトファイルを取得するオブジェクトファイル取得部１２と、フィールド制御装置のオブジェクト情報をオブジェクトファイルとして予め記憶しているオブジェクトファイル記憶部１１と、両オブジェクトファイルを比較してポイントタイプの変換対象となるオブジェクト情報を抽出する変換対象抽出部１５と、関連付け情報記憶部１４に記憶されている関連付け情報に基づいて、変換対象抽出部１５の抽出したオブジェクト情報に関連付ける監視ポイントのポイントタイプを決定するポイントタイプ変換部１６とを備えるように構成した。このため、監視システム運用中などにフィールド制御装置のオブジェクト情報が変更された場合でも、このオブジェクトと監視装置２上の監視ポイントとの関連付けの整合性を維持することのできるエンジニアリング装置を提供することができる。よって、監視システム変更時の作業効率を高めることができる。
【００３７】
なお、上記実施の形態１において、監視システムの通信回線にＢＡＣｎｅｔを適用した例を示したが、ＢＡＣｎｅｔ以外の通信回線であってもよく、通信回線の仕様に応じたファイル仕様の関連付け情報を用いればよい。
【００３８】
以上、本発明の実施形態を図面を参照して詳述してきたが、具体的な構成は、上述した実施の形態の構成に限られるものではなく、本発明の要旨を逸脱しない範囲の設計の変更などがあっても本発明に含まれることは言うまでもない。
【符号の説明】
【００３９】
１  エンジニアリング装置
２  監視装置
３  表示装置
４  上位コントローラ
５  下位コントローラ
６  ＢＡＣｎｅｔルータ
１１  オブジェクトファイル記憶部
１２  オブジェクトファイル取得部
１３  入出力部
１４  関連付け情報記憶部
１５  変換対象抽出部
１６  ポイントタイプ変換部
１７  ポイント情報記憶部
【図１】
0005709611.tif 000002
【図２】
0005709611.tif 000003
【図３】
0005709611.tif 000004
【図４】
0005709611.tif 000005
【図５】
0005709611.tif 000006
【図６】
0005709611.tif 000007
【図７】
0005709611.tif 000008